(57)【要約】【課題】ユーザの希望する特定の画像処理を遠隔で実行することができる画像処理装置を提供する。【解決手段】ユーザが処理を要求する処理対象物を撮影した画像と、当該ユーザに関する画像と、を含む特殊画像を外部から受信する受信手段と、特殊画像から変換された二次元画像に含まれる処理対象物の画像である処理対象物画像に対し、二次元画像に含まれるユーザに関する画像であるユーザ画像を用いて認証されたユーザに関連付けられている画像処理である特定画像処理を実行する特定処理実行手段と、を有する画像処理装置による。【選択図】図６
2020140554.tif 000002
【特許請求の範囲】
【請求項１】
ユーザが処理を要求する処理対象物を撮影した画像と、当該ユーザに関する画像と、を含む特殊画像を外部から受信する受信手段と、
前記特殊画像から変換された二次元画像に含まれる処理対象物の画像である処理対象物画像に対し、前記二次元画像に含まれる前記ユーザに関する画像であるユーザ画像を用いて認証された前記ユーザに関連付けられている画像処理である特定画像処理を実行する特定処理実行手段と、
を有することを特徴とする画像処理装置。
【請求項２】
前記特定画像処理は、前記ユーザに関連付けられているデータ送信先に前記処理対象物画像を送信する処理である、
請求項１に記載の画像処理装置。
【請求項３】
前記特定画像処理は、前記処理対象物画像に対する画像加工処理または画像形式変換処理を更に含む処理である、
請求項１又は２に記載の画像処理装置。
【請求項４】
前記特殊画像は、前記ユーザと前記処理対象物とを同時に撮影して得られる全天球画像である、
請求項１乃至３のいずれか一項に記載の画像処理装置。
【請求項５】
撮影装置と画像処理装置を通信可能に接続し、所定の画像処理を実行する画像処理システムであって、
前記撮影装置は、
ユーザが処理を要求する処理対象物を撮像するときに同時に当該ユーザも撮影し、前記処理対象物の画像と前記ユーザの画像を含む特殊画像を生成する特殊画像生成手段と、
前記特殊画像を前記画像処理装置に送信する送信手段と、を有し、
前記画像処理装置は、
ユーザが処理を要求する処理対象物を撮影した画像と、当該ユーザに関する画像と、を含む特殊画像を外部から受信する受信手段と、
前記特殊画像から変換された二次元画像に含まれる処理対象物の画像である処理対象物画像に対し、前記二次元画像に含まれる前記ユーザに関する画像であるユーザ画像を用いて認証された前記ユーザに関連付けられている画像処理である特定画像処理を実行する特定処理実行手段と、を有する、
ことを特徴とする画像処理システム。
【請求項６】
前記特殊画像生成手段は、前記ユーザが前記処理対象物の撮影処理を実行する都度、前記特殊画像を生成し、
前記送信手段は、前記特殊画像生成手段が前記特殊画像を生成する都度、前記画像処理装置に当該特殊画像を送信する、
請求項５に記載の画像処理システム。
【請求項７】
前記特殊画像生成手段は、生成した前記特殊画像を蓄積し、
前記送信手段は、前記撮影装置の動作を停止するときに蓄積されている前記特殊画像前記画像処理装置に送信する、
請求項５に記載の画像処理システム。
【請求項８】
所定の画像処理を実行する画像処理装置における画像処理方法であって、
ユーザが処理を要求する処理対象物を撮影した画像と、当該ユーザに関する画像と、を含む特殊画像を外部から受信するし、
前記特殊画像から変換された二次元画像に含まれる処理対象物の画像である処理対象物画像に対し、前記二次元画像に含まれる前記ユーザに関する画像であるユーザ画像を用いて認証された前記ユーザに関連付けられている画像処理である特定画像処理を実行する、
ことを特徴とする画像処理方法。
【発明の詳細な説明】
【技術分野】
【０００１】
本発明は、画像処理装置、画像処理システム及び画像処理方法に関する。
【背景技術】
【０００２】
用紙などの媒体に表された情報を光学的に読み取って画像データに変換し、ネットワークを介して当該画像データを送信する機能を備えるＭＦＰ（Ｍｕｌｔｉ−Ｆｕｎｃｔｉｏｎ  Ｐｅｒｉｐｈｅｒａｌ）が知られている。また、ＭＦＰにログインしたユーザによる読取り操作によって生成された画像データは、各ユーザに予め設定されている送信先に自動的に振り分けて送信するＭＦＰも知られている。
【０００３】
画像データの送信時のセキュリティを考慮して、スキャンチケットから特定される送信チケットの認証情報を用いて所定の送信先に画像データを送信する画像処理システムが知られている（特許文献１を参照）。
【発明の概要】
【発明が解決しようとする課題】
【０００４】
特許文献１に開示されている技術のように、ユーザが要求する画像の読み取りをＭＦＰに実行させる場合、当該ユーザはＭＦＰまで移動しなければならず、また、当該ユーザが自らＭＦＰへの認証操作を行うなどの手間を要していた。この場合、特にＭＦＰから離れた所にいるユーザにとっては不便である。
【０００５】
したがって、ＭＦＰを用いた画像の読み取り処理及び送信処理のような特定の画像処理をユーザが希望するときに、当該画像処理を実行する画像処理装置にユーザが近づかなくても実行を指示できることが望ましい。
【０００６】
本発明は、ユーザの希望する特定の画像処理を遠隔で実行することができる画像処理装置を提供することを目的とする。
【課題を解決するための手段】
【０００７】
上記技術的課題を解決するため、本発明の一態様は、画像処理装置に関するものであり、ユーザが処理を要求する処理対象物を撮影した画像と、当該ユーザに関する画像と、を含む特殊画像を外部から受信する受信手段と、前記特殊画像から変換された二次元画像に含まれる処理対象物の画像である処理対象物画像に対し、前記二次元画像に含まれる前記ユーザに関する画像であるユーザ画像を用いて認証された前記ユーザに関連付けられている画像処理である特定画像処理を実行する特定処理実行手段と、を有することを特徴とする。
【発明の効果】
【０００８】
本発明によれば、ユーザが特定の画像処理を行う装置に近づかなくても、当該ユーザの希望する画像処理を遠隔で実行することができる。
【図面の簡単な説明】
【０００９】
【図１】本発明に係る画像処理システムの実施形態を示す全体構成図。
【図２】本実施形態に係る全天球カメラの使用態様を例示する図
【図３】本実施形態に係る全天球カメラによって撮影される（ａ）半球画像（前）、（ｂ）半球画像（後）の例を示す図。
【図４】本実施形態に係る全天球カメラで撮影された全天球画像から変換された二次元画像の例を示す図。
【図５】本実施形態に係る特定画像処理サーバのハードウェア構成を例示するブロック図。
【図６】本実施形態に係る特定画像処理サーバの機能構成を例示する機能ブロック図。
【図７】本実施形態に係る全天球カメラのハードウェア構成を例示するブロック図。
【図８】本実施形態に係る全天球カメラの機能構成を例示する機能ブロック図。
【図９】本発明に係る画像処理方法の実施形態を示すシーケンス図。
【図１０】本発明に係る画像処理方法の実施形態を示すシーケンス図。
【発明を実施するための形態】
【００１０】
以下、本発明に係る画像処理装置、画像処理システム及び画像処理方法の実施形態について、図面を参照しながら説明をする。本発明に係る画像処理装置は、特定の画像処理を希望するユーザからの特定画像処理要求を、処理の対象物を撮影した画像と、当該ユーザに関する画像と、を含む画像データの受け付けることで自動的に実行可能なものである。
【００１１】
［画像処理システムの実施形態］
図１は、本発明に係る画像処理システムの実施形態である特定画像処理システム１の構成図である。特定画像処理システム１は、特定画像処理サーバ１００と、全天球カメラ２００と、管理端末３００と、オンラインストレージ４００と、が通信ネットワーク５００を介して、通信可能に接続されている。
【００１２】
特定画像処理サーバ１００は、本発明に係る画像処理装置の実施形態であって、ユーザＵが要求する特定の画像処理（特定画像処理）を実行する。特定画像処理サーバ１００の詳細は、後述する。
【００１３】
全天球カメラ２００は、ユーザＵの操作によって、ユーザが要求する画像処理の対象物の画像を撮影するための撮影装置である。また、全天球カメラ２００は、ユーザＵの操作によって、画像処理の対象物を撮影する撮影処理と同時に、ユーザＵも撮影する撮影処理も実行することができる。したがって、全天球カメラ２００を用いてユーザが撮影した画像には、ユーザＵが要求する特定の画像処理である特定画像処理の対象物の画像と、当該要求をするユーザＵに関する画像が含まれている。ユーザＵは、全天球カメラ２００が備える操作スイッチ２２０を押下することで、上記の撮影を行うことができる。全天球カメラ２００の詳細は、後述する。
【００１４】
管理端末３００は、特定画像処理サーバ１００に対して各ユーザＵが実行する特定画像処理の内容などを設定する。特定画像処理の内容とは、各ユーザＵに予め付与されている利用権限に基づいて使用可能な画像処理の処理条件をいう。具体的には、各ユーザＵに設定されている、画像処理後のデータの配信先（送信先）となるオンラインストレージ４００の情報などをいう。
【００１５】
オンラインストレージ４００は、特定画像処理サーバ１００において処理された画像データの配信先、および格納先となる記憶装置である。なお、オンラインストレージ４００は、特定画像処理サーバ１００の記憶装置で代用してもよいし、ユーザＵが管理する情報処理端末が備える記憶装置で代用してもよい。
【００１６】
［全天球カメラ２００の概要］
全天球カメラ２００は、全天球パノラマ画像を撮影することができる特殊なカメラである。図２に示すように全天球カメラ２００は、例えば、ユーザＵが片手で持つことができる大きさである。なお、全天球カメラ２００の大きさは、図２に示すような大きさに限られない。
【００１７】
全天球カメラ２００の上部には、正面側（一方の面側）に第一レンズ２１１Ａが、背面側（他方の面側）に第二レンズ２１１Ｂが、それぞれ設けられている。第一レンズ２１１Ａ及び第二レンズ２１１Ｂはいずれも、１８０度以上の画角を有する広角レンズである。
【００１８】
全天球カメラ２００の一方の面には、シャッター等を含む操作スイッチ２２０が配置されている。操作スイッチ２２０は、ユーザＵの操作によってシャッターボタンとして機能する他、例えば、全天球カメラ２００の動作電源の投入と電源断を行う電源ボタンとしても機能する。操作スイッチ２２０の操作によってシャッター動作が実行されると、第一レンズ２１１Ａと第二レンズ２１１Ｂを介して導かれた像に基づく画像データが生成されて、全天球カメラ２００に蓄積される。
【００１９】
図２に示したような状態で、操作スイッチ２２０を操作してシャッター動作をした場合、全天球カメラ２００は、一度の撮影操作で、処理対象物であるドキュメント２とドキュメント２を撮影したユーザＵの両方を撮影し、これら両方を含む画像データを生成する。すなわち、全天球カメラ２００は、ドキュメント２の画像とユーザＵの画像を含む特殊画像を生成することができる。この特殊画像は、全天球画像と呼ばれる。
【００２０】
［全天球画像の概要］
次に、全天球カメラ２００において撮影される特殊画像（全天球画像）について、図３及び図４を用いて説明する。図３（ａ）は、例えば、第一レンズ２１１Ａを介して得られた第一半球画像２３０Ａの例である。図３（ｂ）は、例えば、第二レンズ２１１Ｂを介して得られた第二半球画像２３０Ｂの例である。図３（ａ）に示すように、第一半球画像２３０Ａは、第一レンズ２１１Ａによって湾曲した半球画像となる。また、図３（ｂ）に示すように、第二半球画像２３０Ｂも、第二レンズ２１１Ｂによって湾曲した半球画像となっている。
【００２１】
図４は、第一半球画像２３０Ａと第二半球画像２３０Ｂを正距円筒図法により二次元画像に変換した正距円筒射影画像１９０の例である。全天球カメラ２００は、第一半球画像２３０Ａと第二半球画像２３０Ｂを撮影して、これを保存又は特定画像処理サーバ１００に送信する。図４に示す正距円筒射影画像１９０は、特定画像処理サーバ１００において生成される。この正距円筒射影画像１９０には、第一半球画像２３０Ａと第二半球画像２３０Ｂに含まれる被写体が含まれている。
【００２２】
例えば、図２に例示したような使用態様で撮影をした場合、第一半球画像２３０Ａにドキュメント２の画像が含まれていて、第二半球画像２３０ＢにユーザＵの画像（主に顔画像）が含まれることになる。したがって、これらから生成される正距円筒射影画像１９０には、全天球カメラ２００を操作したユーザＵの顔画像と、ユーザＵが特定の画像処理の対象として選択したドキュメント２の画像が、１つの画像に含まれている。正距円筒射影画像１９０は、特殊画像に相当する。
【００２３】
［特定画像処理サーバ１００のハードウェア構成］
ここで本実施形態に係る特定画像処理サーバ１００のハードウェア構成について図５を用いて説明をする。図５に示すように、本実施形態に係る特定画像処理サーバ１００は、一般的なコンピュータと同等の機能を備える情報処理機器であって、ＣＰＵ（Ｃｅｎｔｒａｌ  Ｐｒｏｃｅｓｓｉｎｇ  Ｕｎｉｔ）１１０、ＲＡＭ（Ｒａｎｄｏｍ  Ａｃｃｅｓｓ  Ｍｅｍｏｒｙ）１２０、ＲＯＭ（Ｒｅａｄ  Ｏｎｌｙ  Ｍｅｍｏｒｙ）１３０、ＨＤＤ（Ｈａｒｄ  Ｄｉｓｋ  Ｄｒｉｖｅ）１４０、及びＩ／Ｆ（Ｉｎｔｅｒｆａｃｅ）１５０が共通バス１６０を介して接続されている。また、Ｉ／Ｆ１５０には、通信ネットワーク５００と接続し、他の装置（全天球カメラ２００）とのデータ通信を実現する通信モジュール１５１、キーボードやマウスなどの入力デバイス１５２、ユーザインタフェースを表示するディスプレイ１５３などが接続されている。
【００２４】
ＣＰＵ１１０は演算手段であり、特定画像処理サーバ１００の全体の動作を制御する。ＲＡＭ１２０は、情報の高速な読み書きが可能な揮発性の記憶媒体であり、ＣＰＵ１１０が画像情報を処理する際の作業領域として用いられる。ＲＯＭ１３０は、読み出し専用の不揮発性の記憶媒体であり、ファームウェア等のプログラムが格納されている。ＨＤＤ１４０は、情報の読み書きが可能であって記憶容量が大きい不揮発性の記憶媒体であり、ＯＳ（Ｏｐｅｒａｔｉｎｇ  Ｓｙｓｔｅｍ）や各種の制御プログラム、アプリケーションプログラムなどが格納される。
【００２５】
Ｉ／Ｆ１５０は、共通バス１６０と各種のハードウェアやネットワーク等を接続し制御する。通信モジュール１５１は、特定画像処理サーバ１００を通信ネットワーク５００に接続させて全天球カメラ２００との情報通信を実現するための通信インタフェースである。
【００２６】
以上のハードウェア構成を備える特定画像処理サーバ１００は、ＲＯＭ１３０に格納された制御用プログラム及びや、ＨＤＤ１４０などの記憶媒体からＲＡＭ１２０にロードされた情報処理プログラム（アプリケーションプログラム）などをＣＰＵ１１０が備える演算機能によって処理機能を実現する情報処理機器である。これら処理によって、特定画像処理サーバ１００の種々の機能モジュールを含むソフトウェア制御部が構成される。このようにして構成されたソフトウェア制御部と、上述した構成を含むハードウェア資源との組み合わせによって、本実施形態に係る特定画像処理サーバ１００の機能を実現する機能ブロックが構成される。
【００２７】
［特定画像処理サーバ１００の機能構成］
次に、特定画像処理サーバ１００の機能構成について、図６を参照しながら説明する。
特定画像処理サーバ１００は、データ受信部１０１と、画像変換部１０２と、画像分離部１０３と、認証部１０４と、認証データベース１０５と、画像処理特定部１０６と、処理設定データベース１０７と、特定処理実行部１０８と、データ送信部１０９と、を有している。
【００２８】
データ受信部１０１は、全天球カメラ２００から送信される全天球画像（第一半球画像２３０Ａと第二半球画像２３０Ｂを）を受信し、画像変換部１０２に渡す処理をする。データ受信部１０１は、受信手段を構成する。
【００２９】
画像変換部１０２は、第一半球画像２３０Ａと第二半球画像２３０Ｂを正距円筒射影画像１９０に変換する処理を実行する。すなわち、画像変換部１０２は、全天球画を二次元画像に変換する処理を実行する。画像変換部１０２は、画像変換手段を構成する。
【００３０】
画像分離部１０３は、画像変換部１０２で変換された正距円筒射影画像１９０から、ユーザＵの画像と、ドキュメント２の画像を識別し、ユーザＵの画像からユーザ画像を分離する。画像分離部１０３は、画像変換部１０２で変換された正距円筒射影画像１９０から、ユーザＵの画像と、ドキュメント２の画像を識別し、ドキュメント２の画像を分離する。分離されたドキュメント２の画像は、処理対象物画像となる。
【００３１】
画像分離部１０３は、分離したユーザ画像を認証部１０４に渡す。また、画像分離部１０３は、分離した処理対象物画像を特定処理実行部１０８に渡す。すなわち、画像分離部１０３は、二次元画像からユーザ画像と処理対象画像を分離する処理を行い、それぞれを後段の処理機能に渡す。画像分離部１０３は、画像分離手段を構成する。
【００３２】
認証部１０４は、画像分離部１０３から渡されたユーザ画像を用いてユーザＵの顔を認識する顔認識処理を実行し、認識したユーザＵの顔画像を用いて、認証データベース１０５を参照して、当該ユーザＵに認証処理を実行する。認証部１０４は、ユーザＵの顔画像が認証データベース１０５に登録されていれば、正当ユーザとして認証し、その旨を画像処理特定部１０６に通知する。このとき、ユーザＵを一意に識別するＩＤ情報も画像処理特定部１０６に通知する。認証部１０４は、認証手段を構成する。
【００３３】
認証データベース１０５は、認証部１０４からの参照によって、ユーザＵの顔画像に相当する顔画像データを検索し、その存在の有無を認証部１０４に通知するデータベースであある。認証データベース１０５には、ユーザＵの顔画像と、ユーザＵのＩＤ情報が関連付けられて格納されている。
【００３４】
画像処理特定部１０６は、認証部１０４から通知されたユーザＵのＩＤ情報を用いて、処理設定データベース１０７を参照し、当該ユーザＵに設定されている画像処理の内容、及び処理条件を特定し、特定した処理内容及び処理条件を特定処理実行部１０８に通知する。また、画像処理特定部１０６は、処理条件のうち、データ送信部１０９において用いられる情報を、データ送信部１０９に通知する。画像処理特定部１０６は、処理特定手段を構成する。
【００３５】
処理設定データベース１０７は、特定画像処理サーバ１００において実行可能な画像処理に対して、当該画像処理の利用者として設定されているユーザＵのＩＤ情報に関連付けて、当該ユーザＵに利用を許可している処理の種類などを管理するデータベースである。処理設定データベース１０７には、ユーザＵのＩＤ情報と、これに関連付けられている画像処理の種類（特定画像処理サーバ１００において実行可能な処理）、その処理を実行するときの設定・条件などが格納されている。
【００３６】
特定処理実行部１０８は、画像処理特定部１０６から通知された処理内容に基づいて、画像分離部１０３から渡された処理対象物の画像に対し、特定の画像処理を実行する。当該画像処理を実行した後の画像データを、データ送信部１０９に渡す。特定処理実行部１０８は、特定処理実行手段を構成する。
【００３７】
データ送信部１０９は、画像処理特定部１０６から通知された情報を用いて、特定処理実行部１０８から渡された特定処理後の画像データを所定の送信先に送信する処理を実行する。データ送信部１０９は、送信手段を構成する。
【００３８】
［全天球カメラ２００のハードウェア構成］
次に、全天球カメラ２００のハードウェア構成について、図７を参照しながら説明する。全天球カメラ２００は、撮影ユニット２１０と、画像処理ユニット２１３と、撮影制御ユニット２１４と、を備える。撮影ユニット２１０は、前方撮影素子２１２Ａと、後方撮影素子２１２Ｂと、第一レンズ２１１Ａと、第二レンズ２１１Ｂと、を備える。画像処理ユニット２１３は、前方撮影素子２１２Ａと後方撮影素子２１２Ｂによって撮影された画像から全天球画像を生成する機能を有している。撮影制御ユニット２１４は、前方撮影素子２１２Ａおよび後方撮影素子２１２Ｂの撮影を制御する機能を有している。
【００３９】
また、全天球カメラ２００は、バス２３０を介して相互に接続されたＣＰＵ２１５と、ＲＯＭ２１６と、ＳＲＡＭ（Ｓｔａｒｉｃ  ＲＡＭ）２１７と、ＤＲＡＭ（Ｄｙｎａｍｉｃ  ＲＡＭ）２１８と、操作Ｉ／Ｆ２１９とネットワークＩ／Ｆ２２１と、無線Ｉ／Ｆ２２２及びアンテナ２２３と、を備えている。これらは、画像処理ユニット２１３および撮影制御ユニット２１４の制御を行うとともに、撮影された全天球映像を外部に提供する処理を行うために用いられる。
【００４０】
操作Ｉ／Ｆ２１９は、操作スイッチ２２０に対する操作をＣＰＵ２１５に通知する。例えば操作スイッチ２２０を押下することで、ＣＰＵ２１５はシャッター操作と判定し、撮影制御ユニット２１４の動作を制御して、撮影処理を実行する。前方撮影素子２１２Ａと後方撮影素子２１２Ｂから得られた画像信号に基づいて、画像処理ユニット２１３が全天球画像を生成する。生成された全天球画像は、ＤＲＡＭ２１８に記憶される。また、全天球画像は、無線Ｉ／Ｆを介して、特定画像処理サーバ１００に送信される。
【００４１】
［全天球カメラ２００の機能構成］
次に、全天球カメラ２００の機能構成について、図８を参照しながら説明する。全天球カメラ２００は、撮影部２０１と、画像保存部２０２と、画像送信部２０３と、送信判定部２０４と、を有している。
【００４２】
撮影部２０１は、ユーザＵとドキュメント２とを含む全天球画像である特殊画像を生成し、画像保存部２０２に渡す。撮影部は特殊画像生成手段を構成する。
【００４３】
画像保存部２０２は、撮影部２０１から渡された特殊画像をＤＲＡＭ２１８などの記憶手段に記憶する。
【００４４】
画像送信部２０３は、無線Ｉ／Ｆ２２２を介して、撮影部２０１から受け取った特殊画像を特定画像処理サーバ１００に送信する。また、画像送信部２０３は、画像保存部２０２に記憶された特殊画像を、送信判定部２０４からの送信トリガーに基づいて、まとめて、特定画像処理サーバ１００に送信する。
【００４５】
送信判定部２０４は、操作スイッチ２２０を長押しするなどの操作内容を判定し、画像送信部２０３に対して、送信トリガーを通知する。例えば、操作スイッチ２２０を長押しすることで、全天球カメラ２００の動作電源がＯＦＦになる場合、その電源ＯＦＦの操作を送信トリガーとする。この場合、画像保存部２０２に保存されている特殊画像の全てを画像送信部２０３が送信し終わるまで、全天球カメラ２００の電源はＯＦＦにならないものとする。
【００４６】
［画像処理フローの実施形態］
次に、特定画像処理システム１において実行される画像処理の流れについて、図９及び図１０を用いて説明する。図９は、全天球カメラ２００を用いてユーザＵが処理対象物であるドキュメント２を撮影することで、特定画像処理サーバ１００に対して特定処理の実行を指示するまでの流れである。
【００４７】
まず、ユーザＵが操作スイッチ２２０を押下すると、全天球カメラ２００がドキュメント２の撮影処理を実行する（Ｓ９０１）。このとき、ユーザＵの顔画像も同時に撮影される。撮影された第一半球画像２３０Ａと第二半球画像２３０Ｂは、ＤＲＡＭ２１８に一時的に保存される（Ｓ９０２）。
【００４８】
ユーザＵが複数のドキュメント２を撮影する場合、Ｓ９０１とＳ９０２を繰り返す。
【００４９】
その後、ユーザＵが操作スイッチ２２０を長押しして、電源ボタンとしての操作した場合、送信判定部２０４が、すでに撮影されている画像を特定画像処理サーバ１００に送信するタイミングとして判定する（Ｓ９０３）。その結果、画像送信部２０３が、ＤＲＡＭ２１８に保存されている第一半球画像２３０Ａと第二半球画像２３０Ｂを全て、特定画像処理サーバ１００に送信する（Ｓ９０４）。
【００５０】
なお、Ｓ９０３における送信タイミング判定は、撮影処理が一回終わるごとに、送信するタイミングとして判定してもよいし、一定時間経過時に送信するタイミングとして判定してもよい。
【００５１】
上記のように全天球カメラ２００から送信された第一半球画像２３０Ａと第二半球画像２３０Ｂを特定画像処理サーバ１００のデータ受信部１０１が受信する（Ｓ１００１）。データ受信部１０１は、受信した第一半球画像２３０Ａと第二半球画像２３０Ｂからなる全天球を画像変換部１０２に渡す。
【００５２】
画像変換部１０２は、全天球を二次元画像である正距円筒射影画像１９０に変換する（Ｓ１００２）。画像変換部１０２は、変換した正距円筒射影画像１９０を画像分離部１０３に渡す。
【００５３】
画像分離部１０３は、正距円筒射影画像１９０からユーザＵの顔画像を分離して抽出する（Ｓ１００３）。抽出されたユーザＵに顔画像は、認証部１０４に渡される。
【００５４】
認証部１０４は、画像分離部１０３から渡された顔画像を用いて認証データベース１０５を参照し、当該顔画像が存在するか否かの判定を行う。当該顔画像が存在しなければ、認証ＮＧとして処理を終了する。当該顔画像が存在すれば、その顔画像に関連付けられているユーザＵのＩＤ情報を画像処理特定部１０６に渡す（Ｓ１００４）。
【００５５】
画像処理特定部１０６は、ＩＤ情報に基づいて、処理設定データベース１０７を参照し、当該ＩＤ情報に関連付けられている画像処理の種類と、その処理条件を特定する（Ｓ１００５）。特定された画像処理の種類や処理条件は、特定処理実行部１０８に渡される。また、処理条件のうち、データ送信処理に用いられる情報については、データ送信部１０９に渡される。
【００５６】
ここで、画像分離部１０３が正距円筒射影画像１９０から処理対象物であるドキュメント２の画像（処理対象物画像）を分離して抽出する（Ｓ１００６）。抽出された処理対象物画像は、特定処理実行部１０８に渡される。なお、Ｓ１００６の処理は、Ｓ１００３の後に実行されてもよい。
【００５７】
特定処理実行部１０８は、画像分離部１０３から渡された処理対象物画像に対して、画像処理特定部１０６から渡された処理内容に基づく画像処理を実行し、処理後のデータをデータ送信部１０９に渡す。ここで、特定処理実行部１０８において実行される処理は、例えば、ドキュメント２の画像をＰＤＦ（Ｐｏｒｔａｂｌｅ  Ｄｏｃｕｍｅｎｔ  Ｆｏｒｍａｔ）形式のファイルに変換する処理などを含む画像加工処理、画像形式変換処理である。
【００５８】
データ送信部１０９は、特定処理実行部１０８において処理が実行された処理後画像を所定のデータ送信先に送信する（Ｓ１００８）。
【００５９】
以上説明をした本実施形態によれば、一度の撮影動作で取得することができる処理対象物の画像と処理要求者（ユーザＵ）の画像に基づいて、処理要求者が要求する画像処理を処理対象物の画像に対して自動的に行うことができる。これによって、処理要求者（ユーザＵ）が、要求する処理を実行する装置（特定画像処理サーバ１００）から離れた位置にいるときであっても、遠隔地から画像処理の要求と実行を指示することができる。
【００６０】
すなわち、ＭＦＰなどの画像処理を実行する装置における画像の読み取り処理及び送信処理のような特定の画像処理をユーザが希望するときに、当該画像処理を実行する置にユーザが近づかなくても実行を指示でき、ユーザの利便性を向上させることができる。
【００６１】
なお、本発明は上述した各実施形態に限定されるものではなく、その技術的要旨を逸脱しない範囲で種々の変形が可能であり、特許請求の範囲に記載された技術思想に含まれる技術的事項の全てが本発明の対象となる。上記実施形態は、好適な例を示したものであるが、当業者であれば、開示した内容から様々な変形例を実現することが可能である。そのような変形例も、特許請求の範囲に記載された技術的範囲に含まれる。
【００６２】
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたASIC（Application Specific Integrated Circuit）、DSP（digital signal processor）、FPGA（field programmable gate array）や従来の回路モジュール等のデバイスを含むものとする。
【符号の説明】
【００６３】
１        ：特定画像処理システム
２        ：ドキュメント
１００    ：特定画像処理サーバ
１０１    ：データ受信部
１０２    ：画像変換部
１０３    ：画像分離部
１０４    ：認証部
１０５    ：認証データベース
１０６    ：画像処理特定部
１０７    ：処理設定データベース
１０８    ：特定処理実行部
１０９    ：データ送信部
１１０    ：ＣＰＵ
１２０    ：ＲＡＭ
１３０    ：ＲＯＭ
１４０    ：ＨＤＤ
１５０    ：Ｉ／Ｆ
１５１    ：通信モジュール
１５２    ：入力デバイス
１５３    ：ディスプレイ
１６０    ：共通バス
１９０    ：正距円筒射影画像
２００    ：全天球カメラ
２０１    ：撮影部
２０２    ：画像保存部
２０３    ：画像送信部
２０４    ：送信判定部
２１０    ：撮影ユニット
２１１Ａ  ：第一レンズ
２１１Ｂ  ：第二レンズ
２１２Ａ  ：前方撮影素子
２１２Ｂ  ：後方撮影素子
２１３    ：画像処理ユニット
２１４    ：撮影制御ユニット
２１５    ：ＣＰＵ
２１６    ：ＲＯＭ
２１８    ：ＤＲＡＭ
２１９    ：操作Ｉ／Ｆ
２２０    ：操作スイッチ
２２１    ：ネットワークＩ／Ｆ
２２２    ：無線Ｉ／Ｆ
２２３    ：アンテナ
２３０    ：バス
２３０Ａ  ：第一半球画像
２３０Ｂ  ：第二半球画像
３００    ：管理端末
４００    ：オンラインストレージ
５００    ：通信ネットワーク
Ｕ        ：ユーザ
【先行技術文献】
【特許文献】
【００６４】
【特許文献１】特開２０１２−００５１００号公報
【図１】
2020140554.tif 000003
【図２】
2020140554.tif 000004
【図３】
2020140554.tif 000005
【図４】
2020140554.tif 000006
【図５】
2020140554.tif 000007
【図６】
2020140554.tif 000008
【図７】
2020140554.tif 000009
【図８】
2020140554.tif 000010
【図９】
2020140554.tif 000011
【図１０】
2020140554.tif 000012